【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
式Ｉ
【化１】
2013504671.tif 000001
（式中、
Ｒ1は、１以上のＲ’2、Ｒ’3またはＲ’4により置換されたＣ6〜Ｃ14アリールを意味するか；
あるいは２つのＲ1が一緒になって、非置換直鎖もしくは分枝Ｃ1〜Ｃ12アルキレンであるか、あるいは１以上のフェニル、ベンゾイル、ナフチルまたはナフトイルにより置換された直鎖もしくは分枝Ｃ1〜Ｃ12アルキレンであるか、
あるいは２つのＲ1が一緒になって、１以上の非連続的Ｏ原子により中断された非置換直鎖もしくは分枝Ｃ2〜Ｃ12アルキレンであるか、あるいは１以上のフェニル、ベンゾイル、ナフチルまたはナフトイルにより置換された１以上の非連続的Ｏ原子により中断された直鎖もしくは分枝Ｃ2〜Ｃ12アルキレンであるか、
あるいは２つのＲ1が一緒になって、フェニレン、ビフェニレンまたはナフチレンであるか（ここで、前記フェニレン、ビフェニレンまたはナフチレンは非置換であるか、または１以上のＲ’2、Ｒ’3もしくはＲ’4により置換されている）、
あるいは２つのＲ1は一緒になって、−（ＣＨ2）n−フェニレン−（ＣＨ2）n−であり（ここで、ＣＨ2基は、場合によって、Ｃ1〜Ｃ20アルキルまたはＣ6〜Ｃ14アリールにより置換されている）；
ｎは１または２の整数であり；
Ｒ2、Ｒ3、Ｒ4、Ｒ’2、Ｒ’3、およびＲ’4は、互いに独立して、水素、ハロゲン、直鎖もしくは分枝Ｃ1〜Ｃ20アルキル、Ｃ1〜Ｃ20アルコキシ、Ｃ6〜Ｃ14アリール、Ｃ1〜Ｃ20アルカノイル、Ｃ1〜Ｃ20アルカノイルオキシ、Ｃ1〜Ｃ20アルコキシカルボニル、Ｃ7〜Ｃ15アロイル、Ｃ7〜Ｃ15アロイルオキシ、ニトリル、ニトロ、Ｃ1〜Ｃ20アルキルチオ、Ｃ6〜Ｃ14アリールチオまたはＮＲ8Ｒ9であり；
Ｒ5、Ｒ6およびＲ7は、互いに独立して、水素、直鎖もしくは分枝Ｃ1〜Ｃ20アルキル、Ｃ6〜Ｃ14アリールまたはハロゲンであるか（ただし、Ｒ5、Ｒ6およびＲ7のすべてがハロゲンであるわけではなく、またＲ5、Ｒ6およびＲ7の１以下が水素であるとする）、
あるいはＲ5およびＲ6は、それらが結合しているＣ原子と一緒になって、５〜７員飽和環を形成し；
Ｒ8およびＲ9は、互いに独立して、水素、直鎖もしくは分枝Ｃ1〜Ｃ20アルキル、ベンジル、Ｃ7〜Ｃ15アロイル、Ｃ1〜Ｃ20アルカノイル、非置換フェニル、１以上のハロゲン、Ｃ1〜Ｃ6アルコキシまたはＣ1〜Ｃ6アルキルにより置換されたフェニルであるか、あるいはＲ8およびＲ9は、それらが結合しているＮ原子と一緒になって５または６員飽和または不飽和環を形成する（この環は、場合によって、Ｎ原子に加えて、さらなるＮ原子またはＯ原子を含み、この環には場合によって１もしくは２個のベンゾ環が縮合している）のＴｉキレート触媒化合物。
【請求項２】
Ｒ1が、１以上のＲ’2、Ｒ’3またはＲ’4により置換されたフェニルを意味するか；
あるいは２つのＲ1が一緒になって、非置換直鎖もしくは分枝Ｃ1〜Ｃ8アルキレンであるか、または１以上のフェニル、ベンゾイル、ナフチルもしくはナフトイルにより置換された直鎖もしくは分枝Ｃ1〜Ｃ8アルキレンであるか、
あるいは２つのＲ1が一緒になって、１以上の非連続的Ｏ原子により中断された非置換直鎖もしくは分枝Ｃ2〜Ｃ8アルキレンであるか、または１以上のフェニル、ベンゾイル、ナフチルもしくはナフトイルにより置換された１以上の非連続的Ｏ原子により中断された直鎖もしくは分枝Ｃ2〜Ｃ8アルキレンであるか、
あるいは２つのＲ1が一緒になって、フェニレン、ビフェニレンまたはナフチレンであるか（ここで、前記フェニレン、ビフェニレンまたはナフチレンは、非置換であるか、または、１以上のＲ’2、Ｒ’3もしくはＲ’4により置換されている）、
あるいは２つのＲ1が一緒になって、−（ＣＨ2）n−フェニレン−（ＣＨ2）n−（ここで、ＣＨ2基は、場合によって、Ｃ1〜Ｃ20アルキルまたはＣ6〜Ｃ14アリールにより置換されている）であり；
Ｒ2、Ｒ3、Ｒ4、Ｒ’2、Ｒ’3、およびＲ’4は、互いに独立して、水素、ハロゲン、直鎖もしくは分枝Ｃ1〜Ｃ12アルキル、Ｃ1〜Ｃ12アルコキシ、フェニル、Ｃ1〜Ｃ12アルカノイル、Ｃ1〜Ｃ12アルカノイルオキシ、Ｃ1〜Ｃ12アルコキシカルボニル、ベンゾイル、ベンゾイルオキシ、ニトリル、ニトロ、Ｃ1〜Ｃ12アルキルチオ、フェニルチオまたはＮＲ8Ｒ9であり；
Ｒ5、Ｒ6およびＲ7は、互いに独立して、水素、直鎖もしくは分枝Ｃ1〜Ｃ12アルキル、フェニル、ハロゲン（ただし、Ｒ5、Ｒ6およびＲ7のすべてがハロゲンであるわけではなく、またＲ5、Ｒ6およびＲ7のうちの１以下が水素であるとする）、あるいはＲ5およびＲ6は、それらが結合しているＣ原子と一緒になって、５〜７員飽和環を形成し；
Ｒ8およびＲ9が、互いに独立して、水素、直鎖もしくは分枝Ｃ1〜Ｃ12アルキル、ベンゾイル、Ｃ1〜Ｃ12アルカノイル、非置換フェニル、１以上のハロゲン、Ｃ1〜Ｃ4アルキルまたはＣ1〜Ｃ4アルコキシにより置換されたフェニル、ベンジルであるか、あるいはＲ8およびＲ9は、それらが結合しているＮ原子と一緒になって、５または６員飽和または不飽和環を形成する（この環は、場合によって、Ｎ原子に加えて、さらなるＮ原子またはＯ原子を含み、この環には、場合によって１もしくは２個のベンゾ環が縮合している）、請求項１記載の式Ｉの化合物。
【請求項３】
Ｒ1が、１以上のＲ’2、Ｒ’3またはＲ’4により置換されたフェニルであるか；
あるいは２つのＲ1が一緒になって、非置換直鎖もしくは分枝Ｃ1〜Ｃ6アルキレン、１以上のフェニルまたはベンゾイルにより置換された直鎖もしくは分枝Ｃ1〜Ｃ6アルキレンであるか、あるいは２つのＲ1が一緒になってビフェニレンであり；
Ｒ2、Ｒ3およびＲ4が、互いに独立して、水素またはＣ1〜Ｃ4アルコキシであり；
Ｒ’2、Ｒ’3、Ｒ’4が、互いに独立して、水素またはＣ1〜Ｃ4アルキルであり；
Ｒ5、Ｒ6およびＲ7がＣ1〜Ｃ4アルキル、特にメチルである、請求項１又は２記載の式Ｉの化合物。
【請求項４】
（ｉ）式ＩＡ
【化２】
2013504671.tif 000002
（式中、
Ｒ1は、１以上のＲ’2、Ｒ’3またはＲ’4により置換されたＣ6〜Ｃ14アリールを意味するか；
あるいは２つのＲ1が一緒になって、非置換直鎖もしくは分枝Ｃ1〜Ｃ12アルキレンまたは１以上のフェニル、ベンゾイル、ナフチルもしくはナフトイルにより置換された直鎖もしくは分枝Ｃ1〜Ｃ12アルキレンであるか、あるいは２つのＲ1が一緒になって、１以上の非連続的Ｏ原子により中断された非置換直鎖もしくは分枝Ｃ2〜Ｃ12アルキレンであるか、または１以上のフェニル、ベンゾイル、ナフチルまたはナフトイルにより置換された１以上の非連続的Ｏ原子により中断された直鎖もしくは分枝Ｃ2〜Ｃ12アルキレンであるか、あるいは２つのＲ1が一緒になって、フェニレン、ビフェニレンまたはナフチレン（ここで、前記フェニレン、ビフェニレンまたはナフチレンは、非置換であるか、または１以上のＲ’2、Ｒ’3もしくはＲ’4により置換されている）であるか、
あるいは２つのＲ1が一緒になって、−（ＣＨ2）n−フェニレン−（ＣＨ2）n−（ここで、ＣＨ2基は、場合によって、Ｃ1〜Ｃ20アルキルまたはＣ6〜Ｃ14アリールにより置換されている）であり；
【化３】
2013504671.tif 000003
Ｒ2、Ｒ3、Ｒ4、Ｒ’2、Ｒ’3、およびＲ’4は、互いに独立して、水素、ハロゲン、直鎖もしくは分枝Ｃ1〜Ｃ20アルキル、Ｃ1〜Ｃ20アルコキシ、Ｃ6〜Ｃ14アリール、Ｃ1〜Ｃ20アルカノイル、Ｃ1〜Ｃ20アルカノイルオキシ、Ｃ1〜Ｃ20アルコキシカルボニル、Ｃ7〜Ｃ15アロイル、Ｃ7〜Ｃ15アロイルオキシ、ニトリル、ニトロ、Ｃ1〜Ｃ20アルキルチオ、Ｃ6〜Ｃ14アリールチオまたはＮＲ8Ｒ9であり；
Ｒ8およびＲ9が、互いに独立して、水素、直鎖もしくは分枝Ｃ1〜Ｃ20アルキル、ベンジル、Ｃ7〜Ｃ15アロイル、Ｃ1〜Ｃ20アルカノイル、非置換フェニル、１以上のハロゲン、Ｃ1〜Ｃ6アルコキシまたはＣ1〜Ｃ6アルキルにより置換されたフェニルであるか、あるいはＲ8およびＲ9が、それらが結合しているＮ原子と一緒になって５または６員飽和または不飽和環を形成し（この環は、場合によって、Ｎ原子に加えて、さらなるＮ原子またはＯ原子を含み、この環には場合によって１もしくは２個のベンゾ環が縮合している）；
Ｒ10、Ｒ11、Ｒ12、Ｒ13、Ｒ14、Ｒ15、Ｒ16、Ｒ17、Ｒ18、Ｒ19、Ｒ20およびＲ21が、互いに独立して、水素、直鎖もしくは分枝Ｃ1〜Ｃ20アルキル、Ｃ6〜Ｃ14アリールまたはハロゲンであり（ただし、
Ｒ10、Ｒ11、Ｒ12の１以下が水素であり、Ｒ13、Ｒ14、Ｒ15の１以下が水素であり、Ｒ16、Ｒ17、Ｒ18の１以下が水素であり、Ｒ19、Ｒ20、Ｒ21の１以下が水素であるか、あるいはＲ10およびＲ11、Ｒ13およびＲ14、Ｒ16およびＲ17、またはＲ19およびＲ20はそれらが結合しているＣ原子と一緒になって、５〜７員飽和環を形成する）の少なくとも１つの化合物；ならびに
（ｉｉ）式ＩＩａ、ＩＩｂまたはＩＩｃ
【化４】
2013504671.tif 000004
（式中、
【化５】
2013504671.tif 000005
Ｒ’10、Ｒ’11、Ｒ’12、Ｒ’13、Ｒ’14およびＲ’15は、Ｒ10、Ｒ11、Ｒ12、Ｒ13、Ｒ14、Ｒ15について記載した意味のうちの１つを有する）の少なくとも１つのキレートリガンド化合物
を含むＴｉキレート触媒配合物。
【請求項５】
式ＩＡの化合物において、
Ｒ1が１以上のＲ’2、Ｒ’3またはＲ’4により置換されたフェニルであるか；
あるいは２つのＲ1が一緒になって、非置換直鎖もしくは分枝Ｃ1〜Ｃ6アルキレン、１以上のフェニルまたはベンゾイルにより置換された直鎖もしくは分枝Ｃ1〜Ｃ6アルキレンであるか、あるいは２つのＲ1が一緒になって、ビフェニレンであり；
Ｒ2、Ｒ3およびＲ4は、互いに独立して、水素またはＣ1〜Ｃ4アルコキシであり；
Ｒ’2、Ｒ’3、Ｒ’4は、互いに独立して、水素またはＣ1〜Ｃ4アルキルであり；
【化６】
2013504671.tif 000006
Ｒ10、Ｒ11、Ｒ12、Ｒ13、Ｒ14、Ｒ15、Ｒ16、Ｒ17、Ｒ18、Ｒ19、Ｒ20およびＲ21はＣ1〜Ｃ4アルキルであり、特にメチルである）
請求項４記載のＴｉキレート触媒配合物。
【請求項６】
請求項１から３までのいずれか一項記載のＴｉキレート触媒化合物または請求項４又は５記載のＴｉキレート触媒配合物のルイス酸型反応物質により触媒される重付加または重縮合反応のための触媒としての使用。
【請求項７】
（ａ）少なくとも１つのブロック化もしくは非ブロック化イソシアネートまたはイソチオシアネート成分、
（ｂ）少なくとも１つのポリオール；および
（ｃ１）請求項１から３までのいずれか１項で定義される少なくとも１つのＴｉキレート触媒化合物または
（ｃ２）請求項４又は５で定義される少なくとも１つのＴｉキレート触媒配合物
を含む、重合性組成物。
【請求項８】
成分（ａ）、（ｂ）および（ｃ１）または（ｃ２）に加えて、さらなる添加剤（ｄ）、特に光増感剤化合物を含む、請求項７記載の重合性組成物。
【請求項９】
請求項４から５までのいずれか１項で定義される配合物中、全組成物を基準として、０．００１〜１５質量％、好ましくは０．０１〜５質量％の請求項１から３までのいずれか１項で定義されるＴｉキレート触媒化合物または式ＩＡのＴｉキレート触媒化合物を含む、請求項７記載の重合性組成物。
【請求項１０】
ルイス酸の存在下で架橋可能な化合物を重合するための方法であって、請求項１から３までのいずれか１項で定義されるＴｉキレート触媒化合物、または請求項４から５までのいずれか１項で定義されるＴｉキレート触媒配合物をルイス酸の存在下で架橋可能な前記化合物に添加し、得られる混合物を２００〜８００ｎｍの波長範囲の電磁放射線で照射することを特徴とする、方法。
【請求項１１】
ルイス酸の存在下で架橋可能な成分が、（ａ）ブロック化もしくは非ブロック化イソシアネートまたはイソチオシアネート成分および（ｂ）ポリオールの混合物である、請求項１０記載の方法。
【請求項１２】
電磁放射線で照射する代わりに混合物を熱処理に付すか、または混合物を電磁放射線で照射し、そして照射と同時にまたは照射後に熱処理に付すことを特徴とする、請求項１０又は１１記載の方法。
【請求項１３】
接着剤、シーリング、コーティング、埋込用成分、印刷インク、印刷版、フォーム、成形化合物、または光構造化層を製造するための請求項１０から１２までのいずれか１項記載の方法。
【請求項１４】
接着剤、コーティング、シーリング、埋込用成分、印刷インク、印刷版、フォーム、成形化合物、または光構造化層を製造するための請求項７から９までのいずれか１項に記載の重合性組成物の使用。
【請求項１５】
少なくとも１つの表面が請求項７から９までのいずれか１項に記載の組成物でコーティングされた基体。
【請求項１６】
請求項７から９までのいずれか１項に記載の重合性組成物を硬化させることにより得られる重合または架橋組成物。